(57)【要約】    【課題】定期的な清掃や交換を必要としない通帳の繰出し手段が必要。また、安価で小型の通帳繰出し機構が望まれている。    【解決手段】Ａホッパのカム・ギヤ４３とＢホッパのカム・ギヤ４６には、左右対称形の溝が形成されており、それぞれ繰出し部材２２、２３のピン４７、４８が嵌合されている。駆動モータ１７が時計方向に回転し、カム・ギヤ４６が時計方向に回転した場合、ピン４８はカム・ギヤ４６の溝の矢印方向５１を通り下の方へ降りてくる。これにより、繰出し部材２３の爪部７０が新通帳２９の上端部を引っかけて搬送路１０に押し出す。カム・ギヤ４３も時計方向に回転するが、繰出し部材２２のピン４７はカム・ギヤ４３の溝の矢印方向４９を通る。この場合は、カム・ギヤ４３はピン４７を動かすことなく回転をする。【選択図】  図２
2005153425.tif 000002
【特許請求の範囲】
【請求項１】
通帳を繰出す搬送路と、該搬送路に近接して配置され、通帳を垂直方向に収納する通帳収納部と、該通帳収納部に配置され、上端部に当該通帳収納部に収納された通帳を前記搬送路の方向に繰出す突起部を有する繰出し部材と、モータと、該モータの回転により前記繰出し部材を前記搬送路の方向に移動させるカムとを具備することを特徴とする通帳発行機構。
【請求項２】
通帳を繰出す搬送路と、該搬送路に近接して配置され、通帳を垂直方向に収納する２個の通帳収納部と、該２個の通帳収納部それぞれに配置され、上端部に当該通帳収納部に収納された通帳を前記搬送路の方向に繰出す突起部を有する繰出し部材と、モータと、該モータの回転により前記繰出し部材を前記搬送路の方向に移動させるカムとを具備し、前記カムは前記モータの回転方向により前記繰出し部材の異なる一方を移動させることを特徴とする通帳発行機構。
【請求項３】
通帳の挿入口と、該挿入口に挿入された通帳を搬送する第１の搬送路と、該第１の搬送路に沿って配置された通帳発行機と、文字認識部と、磁気書込み読取り装置と、印字機構とを有する通帳発行機構付通帳印字装置において、前記通帳発行機は前記第１の搬送路に繋がる第２の搬送路と、該第２の搬送路に近接して配置され、通帳を垂直方向に収納する２個の通帳収納部と、該２個の通帳収納部それぞれに配置され、上端部に当該通帳収納部に収納された通帳を前記第２の搬送路の方向に繰出す突起部を有する繰出し部材と、モータと、該モータの回転により前記繰出し部材を前記第２の搬送路の方向に移動させるカムとを具備し、前記カムは前記モータの回転方向により前記繰出し部材の異なる一方を移動させることを特徴とする通帳発行機構付通帳印字装置。
【発明の詳細な説明】
【技術分野】
【０００１】
本発明は銀行等で使用する現金自動取引装置（ＡＴＭ）の通帳印字装置に関し、特に通帳発行機構を有する通帳印字装置と、通帳発行機構に関する。
【背景技術】
【０００２】
従来の技術として、特許文献１に記載されるように、ほぼ水平方向にセットした通帳に、上から荷重をかけ、下から繰出しローラで繰出す方法がある。
【０００３】
また、特許文献２に記載されるように、通帳を垂直方向に収納する複数の通帳収納部と複数の繰出し機構を有し、通帳を繰出し機構の繰出しローラにより垂直方向に繰出す方法がある。
【０００４】
【特許文献１】特開平９−２５９２２８号公報
【０００５】
【特許文献２】特開平７−１３２６６０号公報
【発明の開示】
【発明が解決しようとする課題】
【０００６】
上記特許文献１記載の技術では、繰出しローラと通帳の間に発生する摩擦力を利用して通帳を繰出しているが、セットされた通帳冊数の差により繰出し力に差が発生するので、一定の繰出し力を得る為に、さまざまな工夫がなされている。しかしながら、繰出しローラの繰出しによる通帳の汚れや、繰出しローラの摩耗等による摩擦係数の低下により、通帳の繰出しが出来なくなる障害も発生し、定期的な繰出しローラの清掃、交換が必要となる。さらに、通帳をほぼ水平方向にセットする為、複数のホッパを搭載するには、奥行き寸法が大きくなり、小型化が難しい。特許文献２記載の技術では、複数の通帳収納部に対し複数の繰出し機構を備えるため、小型化および低価格化が難しい。
【０００７】
本発明の目的は、定期的な清掃や交換の必要がない通帳の繰出し手段を備えた通帳発行機構を提供することである。
【０００８】
本発明の他の目的は、小型で安価な通帳繰出し機構を備えた通帳発行機構及び通帳発行機構付通帳印字装置を提供することである。
【課題を解決するための手段】
【０００９】
上記目的を達成するために、本発明の通帳発行機構においては、通帳を繰出す搬送路と、該搬送路に近接して配置され、通帳を垂直方向に収納する通帳収納部と、該通帳収納部に配置され、上端部に当該通帳収納部に収納された通帳を前記搬送路の方向に繰出す突起部を有する繰出し部材と、モータと、該モータの回転により前記繰出し部材を前記搬送路の方向に移動させるカムとを有する。
【００１０】
上記他の目的を達成するために、本発明の通帳発行機構においては、通帳を繰出す搬送路と、該搬送路に近接して配置され、通帳を垂直方向に収納する２個の通帳収納部と、該２個の通帳収納部それぞれに配置され、上端部に当該通帳収納部に収納された通帳を前記搬送路の方向に繰出す突起部を有する繰出し部材と、モータと、該モータの回転により前記繰出し部材を前記搬送路の方向に移動させるカムとを有し、前記カムは前記モータの回転方向により前記繰出し部材の異なる一方を移動させる。
【００１１】
上記他の目的を達成するために、本発明の通帳発行機構付通帳印字装置においては、通帳の挿入口と、該挿入口に挿入された通帳を搬送する第１の搬送路と、該第１の搬送路に沿って配置された通帳発行機と、文字認識部と、磁気書込み読取り装置と、印字機構とを有する通帳発行機構付通帳印字装置において、前記通帳発行機は前記第１の搬送路に繋がる第２の搬送路と、該第２の搬送路に近接して配置され、通帳を垂直方向に収納する２個の通帳収納部と、該２個の通帳収納部それぞれに配置され、上端部に当該通帳収納部に収納された通帳を前記第２の搬送路の方向に繰出す突起部を有する繰出し部材と、モータと、該モータの回転により前記繰出し部材を前記第２の搬送路の方向に移動させるカムとを有し、前記カムは前記モータの回転方向により前記繰出し部材の異なる一方を移動させる。
【発明の効果】
【００１２】
本発明によれば、定期的な清掃や交換の必要がない通帳の繰出し部材を備えた通帳発行機構を提供することができる。
【００１３】
また、小型で安価な通帳繰出し機構を備えた通帳発行機構及び通帳発行機構付通帳印字装置を提供することができる。
【発明を実施するための最良の形態】
【００１４】
以下図面を参照して本発明の一実施例による通帳発行機構及び通帳発行機構付通帳印字装置を詳細に説明する。図１は通帳発行機構付通帳印字装置の側面図である。図２は通帳発行機構の側面図である。図３は通帳発行機構の上面図である。図４及び図５は通帳収納部（ホッパ）の正面図である。図６及び図７は通帳発行機構のカム・ギヤの拡大図である。
【００１５】
図１の通帳発行機構付通帳印字装置において、現金の預け入れ、現金の引出し、現金の振込み、通帳記帳などの通帳記帳取引時に、通帳１は挿入口２に挿入される。通帳１は搬送路３を通り文字認識部４に搬送される。文字認識部４において、通帳の印字済行の認識、及び頁バーコードの読取りが行われる。続いて、磁気読み書き装置５まで搬送され、磁気データの読取りが行われる。通帳１の印字済行の認識、頁バーコードの読取り、磁気データの読取りの結果、通帳１の印字行が満行になっていると認識された場合、通帳１は搬送路３を通り、待避路６へと搬送される。
図１及び図２を参照するに、通帳発行機構７の通帳収納部（Ａホッパ、Ｂホッパ）に収納されている新通帳２８または新通帳２９に、通帳１と同種の通帳があるかどうかが確認される。Ａホッパの新通帳２８、またはＢホッパの新通帳２９に同種の通帳がなければ、待避路６に搬送された通帳１は、退避路６から搬送路３へと戻され、挿入口２に返却される。Ａホッパの新通帳２８、またはＢホッパの新通帳２９に同種の通帳があった場合は、新規通帳が搬送路３に繰出される。
【００１６】
図１において、搬送路３に繰出された新規通帳は頁めくり機構８まで搬送され、所定の頁が開かれる。続いて印字機構９まで搬送され、所定の印字が行われ、挿入口２まで搬送される。同時に旧通帳１も挿入口２に返却される。
【００１７】
次に、図２乃至図７を参照して通帳発行機構の構成及び動作を説明する。Ａホッパに、搬送路１０に対して垂直方向に収納されている新通帳２８は、スプリング２６に押されている押板２４によって繰出し方向側に押さえつけられている。同じくＢホッパに、搬送路１０に対して垂直方向に収納されている新通帳２９は、スプリング２７に押されている押板２５によって繰出し方向側に押さえつけられている。
【００１８】
新通帳２８を繰出す機構は、駆動モータ１７と、カム・ギヤ４３（図３及び図４参照）と、駆動モータ１７の回転をカム・ギヤ４３に伝達するギヤ１９，ギヤ１８，シャフト３０，シャフト３０のＡホッパ側に取付けられたギヤ２０，ギヤ４１，ギヤ４２と、カム・ギヤ４３によって垂直方向に移動される繰出し部材２２で構成される。新通帳２９を繰出す機構は、駆動モータ１７と、カム・ギヤ４６と、駆動モータ１７の回転をカム・ギヤ４６に伝達するギヤ１９，ギヤ１８，シャフト３０，シャフト３０のＢホッパ側に取付けられたギヤ２１，ギヤ４４，ギヤ４５と、カム・ギヤ４６によって垂直方向に移動される繰出し部材２３で構成される。駆動モータ１７と、ギヤ１９と、ギヤ１８と、ギヤ１８が取付けられているシャフト３０は、新通帳２８を繰出す機構と新通帳２９を繰出す機構で共用されている。駆動モータ１７の回転は、シャフト３０の両端に取付けられたギヤ２０とギヤ２１を介してカム・ギヤ４３とカム・ギヤ４６に伝達される。
【００１９】
カム・ギヤ４３とカム・ギヤ４６には、図４及び図５に示すように、左右対称の溝が形成されており、この溝に繰出し部材２２及び２３に取付けられたピン４７及び４８が嵌合している。繰出し部材２２及び２３の上端部には、突起部（爪部）６０及び７０が形成されている。通帳の繰出し時に、駆動モータ１７を回転させることにより、繰出し部材２２及び２３のピン４７及び４８が、カム・ギヤ４３及びカムギヤ４６の溝の形状により垂直方向に動かされることによって、Ａホッパの新通帳２８は繰出し部材２２の爪部６０により下側（搬送路１０）に押出され、Ｂホッパの新通帳２９は繰出し部材２３の爪部７０により、下側（搬送路１０）に押出される。
【００２０】
図２において、搬送路１０の方向に押出された新通帳２８あるいは新通帳２９は、ローラ１１とローラ１２またはローラ１５とローラ１６に噛込まれ、搬送路１０に繰出される。ＡホッパとＢホッパのカム・ギヤ４３、カム・ギヤ４６の溝の形状を左右対称形にすることにより、駆動モータ１７の回転方向を制御するのみで異なる通帳の発行を行うことができる。
【００２１】
次に、新通帳の繰出し動作について詳細に説明する。Ａホッパのカム・ギヤ４３には、回転方向による切替えを選択的に行うことの出来る溝が形成されており、繰出し部材２２のピン４７が嵌合している。Ｂホッパのカム・ギヤ４６には、Ａホッパのカム・ギヤ４３の溝とは対称形の、回転方向による切替えを選択的に行うことが出来る溝が形成されており、繰出し部材２３のピン４８が嵌合している。
【００２２】
今、駆動モータ１７が正転方向（時計方向）に回転し、カム・ギヤ４６が右回り（時計方向）に回転したとする。そうすると、図７に示すように繰出し部材２３のピン４８はカム・ギヤ４６の溝の矢印方向５１を通る。したがって、ピン４８、及び繰出し部材２３の爪部７０が下のほうへ降りてくる。これにより、繰出し部材２３の爪部７０が新通帳２９の上端部を引っかけて搬送路１０に押出し、押出す途中で、ローラ１５とローラ１６に新通帳２９を噛込ませることにより、搬送路１０に繰出すことが出来る。
カム・ギヤ４３も右回り（時計方向）に回転するが、図６に示すように繰出し部材２２のピン４７はカム・ギヤ４３の溝の矢印方向４９を通る。この場合は、カム・ギヤ４３はピン４７、及び繰出し部材２２を動かすことなく回転をする。すなわち、回転方向が同じでも、Ｂホッパは新通帳２９の繰出しを行い、Ａホッパはカム・ギヤ４３のみ回転を行い、新通帳２８の繰出しは行わないのである。駆動モータ１７の回転方向を、例えば、逆転方向（反時計方向）に駆動した場合には、Ａホッパの方から新通帳２８の繰出しを行い、Ｂホッパはカム・ギヤ４６のみが回転を行い、新通帳２９の繰出しは行わない。
【００２３】
以上の説明のとおり、本発明の実施例によれば、通帳の繰出しに繰出しローラを用いずに、突起部（爪部）を引っかけて押出す構造としたので、繰出し手段の定期的な清掃や交換の必要がない。また、複数の通帳の発行動作を一つの駆動モータで選択的に切替えて行うことができるので、複数のホッパ（通帳収納部）を有する通帳発行機構及び通帳発行機構付通帳印字装置を、低価格で、かつ小型に製造することができる。
【図面の簡単な説明】
【００２４】
【図１】本発明の一実施例による通帳発行機構付通帳印字装置の側面図である。
【図２】本発明の一実施例による通帳発行機構の側面図である。
【図３】本発明の一実施例による通帳発行機構の上面図である。
【図４】本発明の一実施例による通帳発行機構のＡホッパの正面図である。
【図５】本発明の一実施例による通帳発行機構のＢホッパの正面図である。
【図６】図４に示されるカム・ギヤ４３の溝の形状を現した図である。
【図７】図５に示されるカム・ギヤ４６の溝の形状を現した図である。
【符号の説明】
【００２５】
１…通帳、２…挿入口、３…第１の搬送路、４…文字認識部、５…磁気読み書き装置、
６…待避路、７…通帳発行機構、８…頁めくり機構、９…印字機構、
１０…第２の搬送路、１１，１２，１３，１４，１５，１６…搬送ローラ、
１７…駆動モータ、１８，１９，２０，２１，４１，４２，４４，４５…ギヤ、
２２，２３…繰出し部材、２４，２５…押板、２６，２７…スプリング、
２８，２９…新通帳、３０…シャフト、４３，４６…カム・ギヤ、４７，４８…ピン、６０，７０…突起部（爪部）。
【図１】
2005153425.tif 000003
【図２】
2005153425.tif 000004
【図３】
2005153425.tif 000005
【図４】
2005153425.tif 000006
【図５】
2005153425.tif 000007
【図６】
2005153425.tif 000008
【図７】
2005153425.tif 000009